(57)【要約】【課題】利用者にとって目立たないドットパターンを形成し、画像品位の低下を低減する画像形成装置を提供する。【解決手段】本発明は、画像形成装置に係る。本画像形成装置は、静電潜像を形成する像担持体と、人間の視覚特性において無色透明と感知される現像剤を有し、静電潜像を現像化する第１の現像剤担持体とを備える。また、本画像形成装置は、上記現像剤を用いて無色透明なドットパターンを記録材に形成する形成手段を備える。【選択図】図１
2007328061.tif 000002
【特許請求の範囲】
【請求項１】
画像形成装置であって、
静電潜像を形成する像担持体と、
人間の視覚特性において無色透明と感知される現像剤を有し、前記静電潜像を現像化する第１の現像剤担持体と、
前記現像剤を用いて無色透明なドットパターンを記録材に形成する形成手段と
を備えることを特徴とする画像形成装置。
【請求項２】
前記第１の現像剤担持体は、前記画像形成装置に対して取り外し可能に設けられ、有色の現像剤を有する第２の現像剤担持体と取り替えられることを特徴とする請求項１に記載の画像形成装置。
【請求項３】
有色の現像剤を有する１以上の第２の現像剤担持体をさらに備え、
前記形成手段は、前記第１の現像剤担持体および前記第２の現像剤担持体の少なくとも１つを使用して画像を形成することを特徴とする請求項１に記載の画像形成装置。
【請求項４】
前記無色透明な現像剤は、赤外光を吸収するフタロシアニン系化合物を含むことを特徴とする請求項１乃至３の何れかに記載の画像形成装置。
【請求項５】
前記ドットパターンが形成された記録材は、デジタルペン専用のデジタルペーパとして利用されることを特徴とする請求項１乃至４の何れかに記載の画像形成装置。
【請求項６】
画像形成装置に着脱可能なプロセスカートリッジであって、
静電潜像を形成する像担持体と、
人間の視覚特性において無色透明と感知される成分からなる現像剤を有し、前記静電潜像を現像化する現像剤担持体と
を備えることを特徴とするプロセスカートリッジ。
【請求項７】
画像を現像化するための現像剤であって、
人間の視覚特性において無色透明と感知される成分からなることを特徴とする現像剤。
【請求項８】
像担持体と、現像剤担持体とを有する画像形成装置を制御する制御方法であって、
人間の視覚特性において無色透明と感知されるドットパターンを記録材に形成するステップを含むことを特徴とする制御方法。
【発明の詳細な説明】
【技術分野】
【０００１】
本発明は、デジタルペン用のデジタルペーパを形成する画像形成装置および制御方法に関する。
【背景技術】
【０００２】
近年、各種申込書、アンケート用紙または答案用紙などの各種フォームを電子化した電子フォームが利用されつつある。電子フォームは、紙のフォームの記入項目に相当する記入枠を複数のフィールドとして含む電子データである。このような電子フォームを利用する場合、利用者は、パーソナルコンピュータを含むシステムに電子フォームを読み込ませて表示装置上に表示させ、キーボードやマウスなどの入力装置を操作して電子フォームにデータを入力する。入力されたデータは、システム側により取得され、ネットワークなどを通じて提出機関等へ送信される。
【０００３】
しかしながら、パーソナルコンピュータの操作方法に関する知識を十分に有しない利用者や、キーボード入力を得意としない利用者などにとって、電子フォームの利用は、困難であることが多い。このような利用者にとっては、むしろ従来から行なわれているように、紙のフォームに対して通常の筆記具で記入する方法が最も簡便である。
【０００４】
このような場合に有効な入力デバイスとして、近年、「デジタルペン」、「電子ペン」などと呼ばれるペン型入力デバイスが登場している（以下、デジタルペンと称す。）。デジタルペンは、所定のドットパターンが形成された専用紙（以下、デジタルペーパと称す。）とペアで使用されるものである。また、デジタルペンは、通常のインクタイプのペン先に加えて、デジタルペーパ上のドットパターンを読み取るための小型カメラと、無線通信ユニットとを搭載している。
【０００５】
利用者がデジタルペーパ上にデジタルペンで文字等を書くと、デジタルペンは、当該デジタルペンの移動に伴って小型カメラによりデジタルペーパ上のドットパターンを検出する。その後、デジタルペンは、検出したドットの軌跡により利用者が書き込んだ文字などの入力データを取得しうる。デジタルペンは、無線通信ユニットにより当該デジタルペン近くのパーソナルコンピュータや携帯電話などの端末装置にこれらの入力データを送信する。このデジタルペンを利用したシステムは、キーボードやマウスに代わる入力デバイスとして利用することが可能である。また、デジタルペンは、パーソナルコンピュータやキーボードの使用が苦手な利用者にとって非常に使いやすい入力デバイスである。
【０００６】
特許文献１は、製品の表面に設けられた情報選択肢が利用者により選択された場合に、選択された情報を電子データとして取得する技術を開示している。このような技術においては、入力された情報が電子データとして取り込まれるため、そのままその後の電子的な処理に利用できる利点がある。
【特許文献１】特表２００３−５００７７７号公報
【発明の開示】
【発明が解決しようとする課題】
【０００７】
例えば、デジタルペーパは、予めドットパターンが製版された印刷版を使ってオフセット印刷機等で印刷される。また、デジタルペーパは、コンピュータに接続された電子写真方式の画像形成装置により出力される。電子写真方式の画像形成装置を使う場合、利用者は、必要な枚数を必要な時に出力しうる。また、画像形成装置は、ドットパターンとともに、通常画像についても出力しうる。
【０００８】
しかしながら、ドットパターンは、デジタルペンで読み取りやすくするためにカーボンの入ったトナーを用いて形成されている。このため、ドットパターンは、人間の目で認識されやすく、利用者に違和感を与えることがある。特に、用紙全面にドットパターンを形成すると非常に目立ちやすくなり、通常の画像とドットパターンとを合わせた画像形成は、画像品位を大幅に低下させる虞がある。
【０００９】
本発明は、上述の問題に鑑みてなされたものであり、利用者にとって目立たないドットパターンを形成し、画像品位の低下を低減する画像形成装置を提供することを目的とする。
【課題を解決するための手段】
【００１０】
本発明は、画像形成装置に係る。本画像形成装置は、静電潜像を形成する像担持体と、人間の視覚特性において概ね無色透明と感知される現像剤を有し、静電潜像を現像化する第１の現像剤担持体とを備える。また、本画像形成装置は、上記現像剤を用いて実質的に無色透明なドットパターンを記録材に形成する形成手段を備える。
【発明の効果】
【００１１】
本発明は、利用者にとって目立たないドットパターンを形成し、画像品位の低下を低減する画像形成装置を提供する。
【発明を実施するための最良の形態】
【００１２】
以下、本発明に係る実施形態について図面を用いて説明する。なお、以下の実施の形態は特許請求の範囲に記載された発明を限定するものでなく、また本実施形態で説明されている特徴の組み合わせの全てが本発明の解決手段に必須のものとは限らない。
【００１３】
［第１の実施形態］
まず図１を参照して、第１の実施形態における全体構成について説明する。図１は、第１の実施形態に対応する全体構成の一例を示す図である。
【００１４】
図１において、画像形成装置１００は、スタンドアローンまたはネットワーク経由でホストコンピュータ１０３と接続されている。また、画像形成装置１００は、プリントデータを一時的に保存するプリントサーバ（不図示）を介してネットワークに接続されるようにしてもよい。１０４はデジタルペンを示し、１０５はデジタルペン用デジタルペーパ（以下、デジタルペーパと称す。）を示す。デジタルペン１０４は、デジタルペーパ１０５に形成されたドットパターンを撮影し、無線通信でホストコンピュータ１０３に送信する。１０６は、デジタルペンデジタルペーパのドット形成位置を補正する際に使用するスキャナを示す。ホストコンピュータ１０３は、デジタルペン１０４から送信されるデータを受信してデータ処理を行う。また、ホストコンピュータ１０３がデジタルペン１０４からのデータを受信した後のデータ処理は、ネットワークで接続された別のデータ処理サーバ（不図示）で行われるようにしてもよい。以下では、まず、デジタルペーパ１０５を説明し、デジタルペン１０４、画像形成装置１００の順で、その構成について説明する。
【００１５】
［デジタルペーパ］
次に、図２から図４を参照して、本実施形態におけるデジタルペーパについて説明する。図２は、第１の実施形態に対応するデジタルペーパの構成を示したものである。図２に示すように、デジタルペーパ１０５は、記録材１１９上にドットパターン２０１が形成され、その上に罫線などの図案２０２が形成されている。ドットパターン２０１は、記録材１１９の全面ではなく、台紙の一部の必要な個所だけに形成するようにしてもよい。また、記録材１１９は、通常の紙であり、本実施形態におけるドットパターン２０１は、カーボンを含有した現像材により形成される。
【００１６】
図３は、第１の実施形態に対応するドットパターンが表す情報を示す図である。ドットパターン２０１は、０〜３の２ビット情報を有する。これは、ドットの位置を格子の基準位置（縦線および横線の交差点）から上下左右に変位させることにより実現する。例えば、図３に示すように、０を表すには、交差点より上の格子にドットが形成される。同様に、１は交差点の右、２は交差点の下、３は交差点の左に形成される。この変位ドットの使用により、数値情報を変位ドットの組み合わせに置き換えて表すことができる。
【００１７】
図４は、第１の実施形態に対応するドットパターンの一例を示す図である。本実施形態によるデジタルペーパ１０５は、図４（ａ）に示すように、３６個の変位ドットの組（パターン）を格子状に配置する。
【００１８】
また、本実施形態におけるデジタルペーパ１０５は、６００ｄｐｉの解像度を持つプリンタにて出力することを想定している。そのため、格子間隔は、６００ｄｐｉの１ピクセルの整数倍になることが望ましい。また、電子写真方式において、ドット同士が近接しすぎると、ドット間干渉を起こし、近接したドットが繋がってしまう虞がある。そのため、ドットは、２ピクセル以上離して形成されることが望ましい。本実施形態によるドットは、最も近接した場合においても、３ピクセル離れるように設定される。すなはち、図４（ａ）に示すように、格子間隔は、６００ｄｐｉの６ピクセル分である０．０１ｉｎｃｈに設定される。
【００１９】
このような変位ドットの組は、図４（ｂ）のようなデータ配列の数値情報を表すことになる。ここで、ドットパターン２０１は、デジタルペーパ上に配置された位置座標（例えば、Ｘ／Ｙ座標）に、所定の規則によって符号化されたデータ配列の数値情報を、それに対応した変位ドットの組に変換して構成される。なお、この符号化の規則は、ある特定の位置座標に対して変位ドットの組をユニークに決めている。この手順をデジタルペーパ上の全領域に適用して変位ドットを割り当てた場合、変位ドットの組は、それを数値情報に変換して復号化すると、デジタルペーパ上の位置座標を示すこととなる。また、利用者がデジタルペーパ１０５上でデジタルペン１０４を使用した場合、ドットパターン２０１は、デジタルペン１０４により撮影される。撮影されたドットパターン２０１は、デジタルペーパ１０５のどの位置にデジタルペン１０５が接触しているかを示す。
【００２０】
［デジタルペン］
次に、図５および図６を参照して、本実施形態によるデジタルペン１０５の構成について説明する。図５は、第１の実施形態に対応するデジタルペンの一例を示した図である。図６は、第１の実施形態に対応するデジタルペンの機能構成を示すブロック図である。
【００２１】
図５に示すように、デジタルペン１０４は、通常のインクペンと同様の形状に形成され、ペン先部５０１を備える。利用者は、通常のインクペンと同様のやり方でデジタルペーパ１０５上に文字などを書くことになる。
【００２２】
また、図６に示すように、デジタルペン１０４は、その内部にプロセッサ６０１、メモリ６０２、無線通信トランシーバ６０３、バッテリ６０４、赤外線ＬＥＤ６０５、カメラ６０６および圧力センサ６０８を備える。また、デジタルペン１０４は、通常のインクペンと同様の構成要素としてインクカートリッジ（図示せず）などを有する。
【００２３】
バッテリ６０４は、デジタルペン１０４内の各要素に電源供給するためのものであり、例えば、デジタルペン１０４のキャップ（不図示）によりデジタルペン１０４自体の電源オン／オフを行うようにしてもよい。圧力センサ６０８は、利用者がデジタルペン１０４によりデジタルペーパ１０５上に文字などを書く際にペン先部５０１に与えられる圧力、すなわち筆圧を検出し、プロセッサ６０１へ伝達する。これにより、利用者がデジタルペン１０４でデジタルペーパ１０５上に文字などを書くと、プロセッサ６０１は、ペン先部５０１に加わった筆圧を圧力センサ６０８により検出し、利用者が記述を開始したと判定しうる。記述を開始したと判定すると、プロセッサ６０１は、赤外線ＬＥＤ６０５およびカメラ６０６を作動させる。
【００２４】
カメラ６０６は、ペン先部５０１の近傍に配置され、デジタルペーパ１０５上に形成された図４（ａ）のようなドットパターン２０１を撮影する。プロセッサ６０１は、カメラ６０６から入力されるドットパターン２０１のデータに基づいて図４（ｂ）のようなデータ配列を取得する。その後、プロセッサ６０１は、そのデータ配列をデコードすることにより、カメラ６０６が撮影しているデジタルペーパ１０５上の位置座標をリアルタイムで算出する。なお、本実施形態によるカメラ６０６は、デジタルペーパ１０５上に３６個の変位ドットの組が２ｍｍ×２ｍｍの領域で形成されるため、ドットパターンを認識する最小単位を２ｍｍ×２ｍｍとする。赤外線ＬＥＤ６０５は、カメラ６０６で撮影されるドットパターン２０１の精度を向上するために配置される。したがって、赤外線ＬＥＤ６０５は、カメラ６０６の近傍に配置されることが望ましい。
【００２５】
さらに、プロセッサ６０１は、利用者の記述が行なわれる間、筆圧の配列データおよび位置座標データを取得し、タイムスタンプ（時間情報）と関連付けてメモリ６０２に記憶する。また、カメラ６０６は、毎秒１００回程度の撮影を行う。これらにより、デジタルペン１０４は、利用者がデジタルペーパ１０５上に描いたデジタルペン１０４の軌跡を電子データとして取り込むことができる。
【００２６】
上述したように、デジタルペン１０４は、利用者がデジタルペーパ１０５上に記述したペンのインクの軌跡を読み取るのではなく、デジタルペーパ１０５上のドットパターン２０１を読み取るものである。実際、図５に示すように、赤外線ＬＥＤ６０５による照明領域およびカメラ６０６の撮影領域５０２は、ペン先部５０１がデジタルペーパ１０５に接触する位置と異なる。
【００２７】
利用者により送信指示がなされるまで、取得された全てのデータは、メモリ６０２内に保持される。ここで、利用者が送信指示を行うと、外部装置と無線通信を行う無線通信トランシーバ６０３により、取得されたデータは、デジタルペン１０４と所定距離内にあるホストコンピュータ１０３へ送信される。
【００２８】
デジタルペン１０４自体は、送信ボタンなどの機能ボタンを備えておらず、送信指示および他の指示は、デジタルペーパ１０５上の所定位置に設けられる。したがって、利用者は、送信専用ボックスをデジタルペン１０４でチェックすることによりデータの送信を実行しうる。送信専用ボックスの位置座標には予め送信指示が対応付けられており、プロセッサ６０１は、送信専用ボックスの位置座標を受信すると、無線通信トランシーバ６０３にメモリ６０２内のデータを供給し、ホストコンピュータ１０３へ送信を行わせる。このデータの送信完了は、例えば、デジタルペン１０４による振動や音、光等により報知するようにしてもよい。
【００２９】
もちろん、デジタルペン１０４は、送信ボタンを備えたり、データをリアルタイムに送信したりするようにしてもよい。また、情報伝達方式は、上述した無線通信トランシーバ６０３に限られず、赤外線通信やケーブル接続方式、何らかの記録媒体経由での伝送方式でもよい。
【００３０】
このように、デジタルペン１０４は、利用者がデジタルペーパ１０５上に記述した文字などに対応する座標データおよび筆圧データを取得して近傍のホストコンピュータ１０３へ送信する機能を有する。一方、デジタルペン１０４のペン先部５０１は、通常のインクペンとなっている。そのため、デジタルペーパ１０５上に記述した内容は、オリジナルの原本として残るという特徴がある。すなわち、デジタルペン１０４は、紙の原本への記述と同時に、その内容を座標データなどの形態でリアルタイムに電子化しうる。
【００３１】
［画像形成装置］
図１に示すように、画像形成装置１００は、コントローラ部１０１とエンジン部１０２とを含んで構成される。画像形成情報は、アプリケーションソフトウェア等により作成され、ホストコンピュータ１０３内のプリンタドライバを介してコントローラ部１０１に送信される。コントローラ部１０１は、送信されてきた画像データをラスタライズ等の処理を施してエンジン部１０２に送る。
【００３２】
エンジン部１０２は、像担持体である感光体ドラム（像担持体）１１０、ローラ帯電器１１１、現像装置（現像剤担持体）１１６、露光装置１２３、クリーニング装置１１２、転写ローラ１２１、転写ローラ１２１および定着装置１２２を備える。感光体ドラム１１０は、アルミシリンダの外周面に有機感光体（ＯＰＣ）等からなる光導電体を塗布して構成され、矢印方向に回転駆動する。ローラ帯電器１１１は、感光体ドラム１１０を所定電位で均一に帯電させる。また、露光装置１２３は、レーザドライバ１２４によって発振されるレーザ光を多面鏡によって走査するスキャナユニット、またはＬＥＤアレイによって構成される。画像データが入力されると、レーザドライバ１２４は、露光装置１２３を発光させる。これにより、感光体ドラム１１０上には、静電潜像が形成される。さらに、感光体ドラム１１０が矢印方向に進むと、この静電潜像は、現像装置１１６によって現像化される。
【００３３】
現像装置１１６は、現像スリーブ１１４、現像剤塗布ローラ１１８および現像剤規制ブレード１１５を備える。また、現像装置１１６は、非磁性一成分の現像剤（非磁性トナー）１１７を収容している。現像装置１１６は、現像剤塗布ローラ１１８によって現像スリーブ１１４の表面に現像剤１１７を塗布し、その塗布したトナーを現像剤規制ブレード１１５によって層厚規制する。層厚規制した後、現像装置１１６は、層厚規制されたトナーを現像スリーブ１１４の回転によって感光体ドラム１１０に対向する現像位置まで搬送する。その後、現像装置１１６は、現像スリーブ１１４に不図示の現像バイアス印加電源によって現像バイアスを印加する。これにより、現像スリーブ１１４上の現像剤１１７は、感光体ドラム１１０表面に付着される。これにより、静電潜像は現像剤像として可視化される。可視化された現像剤像は、所定のバイアスが印加された転写ローラ１２１により記録材１１９上に転写される。記録材１１９は定着装置１２２に搬送され、現像剤像は定着装置１２２によって溶融固着され永久像とされる。
【００３４】
一方、感光体ドラム１１０上に残留した現像剤１１７は、クリーニング装置１１２のクリーニングブレード１１３によってよって清掃される。
【００３５】
また、画像形成装置１００は、制御部１２５を含む。制御部１２５は、ＣＰＵ１２６、ＲＯＭ１２８、ＲＡＭ１２７および高圧制御部１２９を備え、レーザドライバ１２４などが接続されている。ＲＯＭ１２８は、読み出し専用のメモリであり、ＣＰＵ１２６が画像形成装置を制御するためのプログラムや各種データを記憶している。ＲＡＭ１２７は、読み書き可能なメモリであり、データ展開等のための作業領域となる。高圧制御部１２９は、ＣＰＵ１２６からの指示で所定値の各種高圧を発生させる。制御部１２５の詳細については、図７を用いて後述する。
【００３６】
ここで、本実施形態による現像装置１１６は、画像形成装置１００に対して取り外し可能に設けられる。これは、画像形成装置１００の使用用途に応じて現像剤の種類を取り替えることを目的とする。具体的に、通常用途（例えば、通常画像の印刷）に用いる場合、画像形成装置１００には、人間の視覚特性において、有色と感知される現像剤１１７を有する現像装置１１６（第２の現像剤担持体）が設置される。一方、特別用途、例えば、ドットパターン２０１を形成する用途に用いる場合、画像形成装置１００には、人間の視覚特性において、実質的に無色透明と感知される現像剤１１７を有する現像装置１１６（第１の像担持体）が設置される。実質的に無色透明と感知される現像剤１１７とは、例えば、顔料が抜かれている現像剤１１７を示す。さらに、無色透明の現像剤１１７は、フタロシアニン系化合物等を含み、赤外光のみを吸収し可視光は吸収しないという特性を持つ。したがって、無色透明の現像剤１１７を用いて形成されたドットパターン２０１は、可視光を吸収しないため、人間の視覚特性において概ね無色透明に見える。一方、デジタルペン１０４のカメラ６０６は、赤外線ＬＥＤ６０５によって赤外光をドットパターン２０１に照射する。これにより、デジタルペン１０４は、無色透明の現像剤１１７が赤外光を吸収するため、ドットパターン２０１を撮影しうる。
【００３７】
人間の視覚特性とは、波長が概ね４００ｎｍから概ね７００ｎｍとなるいわゆる可視光については感知可能であるが、それ以外の波長については感知しにくいといった特性のことである。すなわち、人間の目には、可視光以外の波長の光、例えば、紫外光および赤外光等は見えない。このような視覚特性を利用して、本実施形態における画像形成装置は、人間の目には見えないドットパターン２０１を形成する。また、ここでは、カメラ６０６でドットパターン２０１を撮影するために、赤外光を吸収する物質を現像剤に混入する例を挙げたが、可視光以外の光を吸収する物質であればよく、紫外光を吸収する物質を混入してもよい。
【００３８】
また、これらの現像装置１１６は、それぞれ有色または無色透明の現像剤１１７何れを有するかの特性情報を不揮発性のメモリ等に識別手段として搭載するようにしてもよい。これにより、画像形成装置１００は、現像装置１１６が有する現像剤１１７の種類を識別でき、無色透明の現像剤１１７を使って通常の画像が形成されたり、有色の現像剤１１７を使ってドットパターンが形成されたりすることを抑制しうる。また、本実施形態における画像形成装置１００は、現像カートリッジを用いたが、一適用例であり、限定されない。すなわち、画像形成装置１００は、感光ドラム、帯電ローラ、現像装置、クリーニング装置を一体にしたプロセスカートリッジを用いてもよい。
【００３９】
［画像形成装置の機能概要］
次に、図７を参照して、本実施形態における画像形成装置１００の制御部１２５の詳細について説明する。図７は、第１の実施形態に対応する画像形成装置の機能ブロックの一例を示す図である。
【００４０】
制御部１２５は、図１で説明した構成要素に加え、画像形成部７０４、インタフェース７１２および外部Ｉ／Ｆ部７１３をさらに含む。なお、決定部７０６や生成部７０７などは、ＣＰＵ１２６により実現されてもよい。また、ＣＰＵ１２６は、画像形成部７０４などの各構成要素とインタフェース７１２によって接続されている。
【００４１】
画像形成部７０４は、画像形成の際に感光体ドラム１１０および現像装置１１６等の制御を行い、記録材１１９に画像を形成する。また、画像形成部７０４は、予めＲＯＭ１２８等に記憶されているドットパターンデータを用いて、ドットパターン２０１を形成する。外部インタフェース部７１３は、例えば、ホストコンピュータ１０３と接続されており、画像印刷指示、画像データ、画像印刷条件などを受信する。
【００４２】
以上説明したように、本実施形態に係る画像形成装置は、静電潜像を形成する像担持体と、人間の視覚特性において無色透明と感知される現像剤を有し、静電潜像を現像化する第１の現像剤担持体とを備える。また、本画像形成装置は、上記現像剤を用いて無色透明なドットパターンを記録材に形成する形成手段を備える。これにより、本画像形成装置は、無色透明な現像剤を有することにより、人間には感知されないドットパターンを形成しうる。よって、本画像形成装置は、人間にとって目立たない画像を容易に形成しうる。
【００４３】
なお、本発明は上記実施形態に限らず様々な変形が可能となる。例えば、第１の現像剤担持体は、画像形成装置に対して取り外し可能に設けられ、有色の現像剤を有する第２の現像剤担持体と取り替えられるようにしてもよい。これにより、本画像形成装置は、通常の画像形成やドットパターンの形成などの使用用途に応じて、容易に現像装置を取り替えることができる。
【００４４】
また、無色透明な現像剤は、赤外光を吸収するフタロシアニン系化合物を含むようにしてもよい。これにより、本画像形成装置は、人間の目には目立たない一方で、赤外光を照射された場合にカメラ等で撮影可能なドットパターンを形成しうる。
【００４５】
［第２の実施形態］
次に、本発明の第２の実施形態について説明する。なお、第１の実施形態と同様な構成、作用をするものは同一の番号を付し説明は省略される。なお、図１の説明と重複する記載については、省略される。
【００４６】
第１の実施形態による画像形成装置１００は、通常の画像を形成する場合とドットパターンを形成する場合とで、現像カートリッジを交換する。それに対して、本実施形態による画像形成装置８００は、画像形成装置８００内にドットパターンを形成するための現像装置（第１の現像剤担持体）と、通常の画像を形成するための現像装置（第２の現像剤担持体）とを備えることを特徴とする。
【００４７】
図８は、第２の実施形態に対応する画像形成装置の構成例を示す図である。図８に示すように、画像形成装置８００は、上述した画像形成装置１００の構成要素に加え、現像装置８０１、再帯電器８０２および露光装置８０３を備える。現像装置１１６は、現像スリーブ１１４、現像剤塗布ローラ１１８および現像剤規制ブレード１１５を備え、無色透明の現像剤１１７を収容している。また、現像装置８０１は、現像スリーブ８０５および現像剤規制ブレード８０７を備え、有色の現像剤８０６を収容している。なお、現像剤８０６は、磁性の特性を有する磁性トナーである。また、現像装置８０１は、現像装置１１６に対して感光体ドラム１１０における回転方向の下流側に配置される。
【００４８】
現像装置８０１は、現像スリーブ８０５内部に固定されたマグネットローラ８０４の磁性により、現像装置８０１内に収納された磁性トナーである現像剤８０６を現像スリーブ８０５上に保持する。さらに、現像装置８０１は、現像スリーブ８０５が回転することにより、現像剤規制ブレード８０７とマグネットローラ８０４の磁極Ｎ１とで形成される集中磁界によって現像剤８０６を現像スリーブ８０５上に薄層塗布する。その後、現像スリーブ８０５上に薄層塗布された現像剤８０６は、現像スリーブ８０５の回転によって感光体ドラム１１０に対向する現像位置まで搬送される。ここで、現像スリーブ８０５と、それに対向する感光体ドラム１１０とは、５０〜５００μｍ程度の間隔を有している。さらに、現像スリーブ８０５と感光体ドラム１１０との間には、不図示の現像バイアス電源により交流電圧に直流電圧を重畳した現像バイアスが印加される。そのため、現像剤８０６は、この電界の作用により、露光装置８０３によって形成された感光体ドラム１１０上の静電潜像に飛翔して転移する。これは、いわゆるジャンピング現像と呼ばれ、静電潜像が現像剤像として可視化される。これらの現像装置１１６、８０１は着脱可能の現像カートリッジの構成としてもよい。
【００４９】
本実施形態によれば、画像形成装置８００は、モノクロ画像形成モード、ドットパターン形成モード、ドットパターン＋モノクロ画像形成モードの３種類の画像形成モードを有する。
【００５０】
モノクロ画像形成モードでは、再帯電器８０２と露光装置１２３、現像装置１１６は動作せず、帯電ローラ１１１と露光装置８０３、現像装置８０１とによってモノクロ画像が形成される。また、ドットパターン形成モードでは、再帯電器８０２と露光装置８０３、現像装置８０１は動作せず、帯電ローラ１１１と露光装置１２３、現像装置１１６とによってドットパターンが形成される。さらに、ドットパターン＋モノクロ画像形成モードでは、帯電ローラ１１１および再帯電器８０２、露光装置１２３、８０３、現像装置１１６、８０１が動作する。
【００５１】
ドットパターン＋モノクロ画像形成モードの場合、まず、感光体ドラム１１０は、帯電ローラ１１１によって所定の電位に帯電され、露光装置１２３および現像装置１１６によって表面に無色透明のドットパターンが形成される。次に、ドットパターンの形成された感光体ドラム１１０は、再帯電器８０２によって再び所定の電位に帯電され、露光装置８０３および現像装置８０１によってモノクロ画像が重ねて形成される。ここで、現像装置８０１は、ジャンピング現像により、先に形成された無色透明のドットパターンを乱すことなくモノクロ画像を形成することができる。これらの画像形成モードは、ホストコンピュータ１０３のアプリケーションソフトやプリンタドライバの指示によって切り換えられ、画像形成部７０４によって制御されることとなる。なお、画像形成に使わない現像装置については、劣化防止のため感光体ドラム１１０から離間させて動作を停止させる方がより望ましい。
【００５２】
本実施形態における画像形成装置８００には、現像カートリッジを用いたが、感光ドラムと帯電ローラ、現像装置、クリーニング装置を一体にしたプロセスカートリッジを用いてもよい。
【００５３】
以上説明したように、本実施形態に係る画像形成装置は、有色の現像剤を有する１以上の第２の現像剤担持体をさらに備える。また、形成手段は、第１の現像剤担持体および第２の現像剤担持体の少なくとも１つを使用して画像を形成する。したがって、本画像形成装置は、使用用途に応じて、ユーザにより現像装置を取り替えることなく、プリンタドライバ等を用いて使用する現像装置を切り換えることができる。また、本画像形成装置は、ドットパターンと通常の画像を形成するときにも一度の画像形成で形成しうる。よって、本画像形成装置は、操作性を向上するとともに、効率的な画像形成が可能となる。
【００５４】
［第３の実施形態］
次に、本発明の第３の実施形態について説明する。なお、第１および第２の実施形態と同様な構成、作用をするものは同一の番号を付し説明は省略される。第１および第２の実施形態においては、モノクロ画像を形成する画像形成装置を一適用例として説明した。本実施形態においては、カラー画像形成装置を一適用例として説明する。
【００５５】
図９は、第３の実施形態に対応するカラー画像形成装置の構成例を示す図である。本実施形態における画像形成装置９００は、コントローラ部９０１、エンジン部９０２を含んで構成される。エンジン部９０２は、制御部９０３、画像形成ステーション９０４、転写ベルト９２１、定着装置９２２、給紙カセット９２３およびレーザドライバ９２０を含んで構成される。画像形成ステーション９０４は、転写ベルト９２１の駆動方向Ｒ２の上流側から現像剤の色ごとに複数の画像形成ステーション９０４が配設される。図９において、画像形成ステーション９０４は、それぞれ現像剤の色に対応した記号が要素番号９０４の後ろに付与される。すなわち、９０４Ｙはイエロー、９０４Ｍはマゼンダ、９０４Ｃはシアン、９０４Ｂｋはブラック、９０４Ｔは無色透明の現像剤を有することを表す。このような画像形成装置９００は、タンデム型のカラー画像形成装置と呼ばれている。
【００５６】
なお、各画像形成ステーション９０４は、収容している現像剤を除いて構成が同一であるため、ここでは、画像形成ステーション９０４Ｙの構成についてのみ説明される。画像形成ステーション９０４Ｙは、感光体ドラム９１０、帯電ローラ９１２、露光装置９１５、現像装置９０５、転写ローラ９１１およびクリーニング装置９１４を含んで構成される。
【００５７】
現像装置９０５は、現像スリーブ９０８と、現像剤塗布ローラ９０７と、現像剤塗布ブレード９０９とを有し、現像剤９０６を収容している。現像装置９０５は、現像塗布ローラ９０７によって現像スリーブ９０８の表面に現像剤９０６を塗布し、その塗布したトナーを現像剤塗布ブレード９０９によって層厚規制する。層厚規制された現像剤９０６は、現像スリーブ９０８の回転によって感光体ドラム９１０に対向する現像位置まで搬送される。その後、現像装置９０５は、現像スリーブ９０８に不図示の現像バイアス印加電源によって現像バイアスを印加することで、現像スリーブ９０８上の現像剤９０６を感光体ドラム９１０表面の静電潜像に付着させる。これにより、感光体ドラム９１０の静電潜像は、現像化される。
【００５８】
転写ローラ９１１は、感光体ドラム９１０上に形成された現像剤像を、転写ベルト９２１上の記録材に静電的な転写を実行する。また、転写ローラ９１１は、転写ベルト９２１の内側に配設されて、転写ベルト９２１を感光体ドラム９１０表面に圧着し、感光体ドラム９１０と転写ベルト９２１との間に、転写ニップ部を構成する。なお、転写ローラ９１１には、転写バイアス印加電源が接続されている。
【００５９】
クリーニング装置９１４は、記録材に転写されずに感光体ドラム９１０の表面に残留した現像剤を除去するためのクリーニングブレード９１３を有している。
【００６０】
画像形成ステーション９０４Ｙにおいて、現像装置９０５は現像ユニットととして構成され、またクリーニング装置９１４は、感光体ドラム９１０および帯電ローラ９１２とともにドラムユニットととして構成されている。これらの現像ユニットおよびドラムユニットは、それぞれが画像形成装置９００本体に対して着脱自在なプロセスカートリッジを構成したり、現像ユニットとドラムユニットとを合わせて一つのプロセスカートリッジを構成したりするようにしてもよい。なお、各画像形成ステーション９０４のドラムユニットは、不図示の駆動手段により移動可能で、各感光体ドラム９０４を転写ベルト９２１に対してそれぞれ当接、離間させることができる。これにより、画像形成装置９００は、使用用途に応じて、感光体ドラム９１０を当接または離間させることで感光体ドラム９１０の磨耗を低減しうる。
【００６１】
転写ベルト９２１は、４本のローラに掛け渡されており、矢印Ｒ２方向に所定のプロセススピードで回転駆動され、これにより、表面に担持した記録材を画像形成ステーション９０４Ｙ〜９０４Ｔに順次搬送する。転写ベルト９２１には、その表面の不要な現像剤を除去する転写ベルトクリーニング装置が接触配置されている。
【００６２】
記録材は、記録材を収容している給紙カセット９２３から供給され、給搬送装置によって搬送される。給搬送装置は、給紙カセット９２３から記録材を給紙する給紙ローラと、給紙された転写材を搬送する搬送ローラと、記録材の先端および後端を検知するレジストセンサ等とを含んで構成されうる。また、転写ベルト９２１の最下流側に配設された定着装置９２２は、記録材の表面に転写された現像剤像を溶融固着する。
【００６３】
次に、図１０を参照して、本実施形態における画像形成装置９００の画像形成モードについて説明する。図１０は、第３の実施形成に対応する画像形成モードを示す図である。
【００６４】
画像形成装置９００は、図１０に示すように、画像形成モード１００１を有する。具体的に、画像形成モード１００１は、フルカラー画像形成モード１００２、モノクロ画像形成モード１００３、ドットパターン形成モード１００４を有する。さらに、画像形成モード１００１は、ドットパターン＋フルカラー画像形成モード１００５およびドットパターン＋モノクロ画像形成モード１００６を有する。
【００６５】
また、図１０は、各画像形成モードにおける各画像形成ステーション９０４の動作例を示している。図１０に示す○は、該当する画像形成ステーション９０４の感光ドラム９１０が転写ベルト９２１に当接して画像形成動作を行うことを示す。一方、図１０に示す×は、感光体ドラム９１０が転写ベルト９２１から離間して画像形成動作を行わないことを示す。また、これらの画像形成モードは、ホストコンピュータ１０３のアプリケーションソフトやプリンタドライバからの指示に応じて切り換えることができる。もちろん、画像形成装置９００が有する操作パネル等から直接入力されるようにしてもよい。
【００６６】
例えば、フルカラー画像形成モード１００２が選択されると、画像形成装置９００は、画像形成ステーション９０４Ｙ、９０４Ｍ、９０４Ｃ、９０４Ｂｋの各感光体ドラム９１０を転写ベルト９２１に当接させる。一方で、画像形成ステーション９０４Ｔの感光ドラム９１０は、転写ベルト９２１から離間させる。このように、選択された画像形成モード１００１によって、当接される感光体ドラム９１０が一意に決められる。すなわち、各画像形成モード１００１に必要な現像剤９０６を有する画像形成ステーション９０４のみが転写ベルト９２１に当接し、当接した画像形成ステーション９０４のみが駆動を開始することとなる。
【００６７】
他の画像形成モードにおいても、同様に、図１０に○で示された画像形成ステーション９０４を使って画像形成を行う。ドットパターン形成モード１００４は、ドットパターンのみが形成される。一方、ドットパターン＋フルカラー画像形成モード１００５は、フルカラー画像とドットパターンとが同時に形成される。また、ドットパターン＋モノクロ画像形成モード１００６は、モノクロ画像とドットパターンとが同時に形成される。
【００６８】
以上説明したように、本実施形態に係る画像形成装置は、有色の現像剤を有する１以上の第２の現像剤担持体をさらに備える。また、形成手段は、第１の現像剤担持体および第２の現像剤担持体の少なくとも１つを使用して画像を形成する。したがって、本画像形成装置は、使用用途に応じて、ユーザにより現像装置を取り替えることなく、プリンタドライバ等を用いて使用する現像装置を切り換えることができる。また、本画像形成装置は、ドットパターンと通常の画像を形成するときにも一度の画像形成で形成しうる。よって、本画像形成装置は、操作性を向上するとともに、効率的な画像形成が可能となる。さらに、フルカラー画像を形成する場合においても、本画像形成装置は、画像の品位を低下させることなくドットパターンを形成しうる。
【００６９】
なお、本発明に係る画像形成装置は、上述した実施形態に限定されることなく、その要旨の範囲で種々に変更可能である。すなわち、画像形成装置の構成や現像方式、現像装置の配置順は上記以外のものでもよく、カラー画像形成装置の方式も上述のタンデム型以外の方式や、中間転写体を用いた方式のものを用いても構わない。
【図面の簡単な説明】
【００７０】
【図１】第１の実施形態に対応する全体構成の一例を示す図である。
【図２】第１の実施形態に対応するデジタルペーパの構成を示したものである。
【図３】第１の実施形態に対応するドットパターンが表す情報を示す図である。
【図４】第１の実施形態に対応するドットパターンの一例を示す図である。
【図５】第１の実施形態に対応するデジタルペンの一例を示した図である。
【図６】第１の実施形態に対応するデジタルペンの機能構成を示すブロック図である。
【図７】第１の実施形態に対応する画像形成装置の機能ブロックの一例を示す図である。
【図８】第２の実施形態に対応する画像形成装置の構成例を示す図である。
【図９】第３の実施形態に対応するカラー画像形成装置の構成例を示す図である。
【図１０】第３の実施形成に対応する画像形成モードを示す図である。
【符号の説明】
【００７１】
１００：画像形成装置
１０１：コントローラ部
１０２：エンジン部
１０３：ホストコンピュータ
１０４：デジタルペン
１０５：デジタルペーパ
１０６：スキャナ
１１６：現像装置
１１７：現像剤
【図１】
2007328061.tif 000003
【図２】
2007328061.tif 000004
【図３】
2007328061.tif 000005
【図４】
2007328061.tif 000006
【図５】
2007328061.tif 000007
【図６】
2007328061.tif 000008
【図７】
2007328061.tif 000009
【図８】
2007328061.tif 000010
【図９】
2007328061.tif 000011
【図１０】
2007328061.tif 000012